(57)【要約】【課題】公衆回線網に接続できない通信端末に、公衆回線網上の情報を表示又は設定する。【解決手段】公衆回線網と接続不能な電子機器５０と通信端末１０とを、近距離無線通信を介して通信可能に接続することで、電子機器５０が通信端末１０を介して、公衆回線網を通じてデータサーバ２００からデータを取得し、電子機器５０に表示、又は電子機器５０の設定もしくは操作を行うことを可能にする。【選択図】図１
2014207535.tif 000002
【特許請求の範囲】
【請求項１】
公衆回線網と接続不能である電子機器と、近距離無線通信により通信可能に接続された通信端末であって、
前記電子機器から、前記近距離無線通信を介して、データの送信要求を受信するデータ送信要求受信手段と、
前記送信要求されたデータを、予め設定されたサーバから公衆回線網を介して取得するデータ取得手段と、
前記取得したデータを、前記電子機器に対して送信するデータ送信手段と、
を備える通信端末。
【請求項２】
請求項１に記載の通信端末と、近距離無線通信により通信可能に接続された、公衆回線網と接続不能である電子機器であって、
前記通信端末に対して、前記近距離無線通信を介して、データの送信要求を送信するデータ送信要求送信手段と、
前記送信要求したデータを、前記通信端末から受信するデータ受信手段と、
前記受信したデータを表示部に表示し、又は当該データに基づいて設定をし、もしくは操作を行うデータ処理手段と、
を備える電子機器。
【請求項３】
通信端末と、公衆回線網と接続不能である電子機器とが、近距離無線通信により通信可能に接続された電子機器設定システムであって、
前記通信端末は、
前記電子機器から、前記近距離無線通信を介して、データの送信要求を受信するデータ送信要求受信手段と、
前記送信要求されたデータを、予め設定されたサーバから通信を介して取得するデータ取得手段と、
前記取得したデータを、前記電子機器に対して送信するデータ送信手段と、
を備え、
前記電子機器は、
前記通信端末に対して、前記近距離無線通信を介して、データの送信要求を送信するデータ送信要求送信手段と、
前記送信要求したデータを、前記通信端末から受信するデータ受信手段と、
前記受信したデータを表示部に表示し、又は当該データに基づいて設定をし、もしくは操作を行うデータ処理手段と、
を備える電子機器設定システム。
【請求項４】
請求項３に記載の電子機器設定システムであって、
前記電子機器が送信要求を送信するデータとは、当該電子機器が機能を発揮するために必要な設定パラメータであって、
前記電子機器は、データ処理手段に替えて、前記設定パラメータを当該電子機器に設定するデータ設定手段を備える、電子機器設定システム。
【請求項５】
請求項３、又は請求項４のいずれか一項に記載の電子機器設定システムであって、
前記データとは、当該電子機器が公衆回線網との通信機能を発揮するために必要な設定パラメータである、電子機器設定システム。
【請求項６】
通信端末と、公衆回線網と接続不能である電子機器とが、近距離無線通信により通信可能に接続された電子機器設定システムが実行する電子機器設定方法であって、
前記通信端末が、
前記電子機器から、前記近距離無線通信を介して、データの送信要求を受信するステップと、
前記送信要求されたデータを、予め設定されたサーバから通信を介して取得するステップと、
前記取得したデータを、前記電子機器に対して送信するステップと、
を備え、
前記電子機器が、
前記通信端末に対して、前記近距離無線通信を介して、データの送信要求を送信するステップと、
前記送信要求したデータを、前記通信端末から受信するステップと、
前記受信したデータを表示部に表示し、又は当該データに基づいて設定をし、もしくは操作を行うステップと、
を備える電子機器設定方法。
【請求項７】
通信端末と、公衆回線網と接続不能である電子機器とが、近距離無線通信により通信可能に接続された電子機器設定システムにおいて、
前記電子機器から、前記近距離無線通信を介して、データの送信要求を受信するステップ、
前記送信要求されたデータを、予め設定されたサーバから通信を介して取得するステップ、
前記取得したデータを、前記電子機器に対して送信するステップ、
として、コンピュータである前記通信端末を制御する通信端末用プログラムと、
前記通信端末に対して、前記近距離無線通信を介して、データの送信要求を送信するステップ、
前記送信要求したデータを、前記通信端末から受信するステップ、
前記受信したデータを表示部に表示し、又は当該データに基づいて設定をし、もしくは操作を行うステップ、
として、コンピュータである前記電子機器を制御する電子機器用プログラムと、
によって構成される電子機器設定システム用プログラム。
【発明の詳細な説明】
【技術分野】
【０００１】
本発明は、近距離無線通信を用いて電子機器の設定を行う通信端末、電子機器、電子機器設定システム、電子機器設定方法、及び電子機器設定システム用プログラムに関する。
【背景技術】
【０００２】
近年、公衆回線網たるインターネットに接続された通信端末をＷｅｂサーバ等と接続することで、ユーザに様々なサービスが提供されている。一方で、一般の利用者数の増加に伴い、インターネットに関する専門的知識を持たない利用者が、機能発揮のために機器の設定を行う場面も増加している。
【０００３】
インターネットでは多くの情報が入手できるため、こうした設定方法に関してインターネットで調べることが可能である。しかしながら、例えばルータの導入時といった、機器自体がインターネットに接続することができない状態にある機器の設定については、インターネットを利用した情報収集や、インターネットを通じた設定ができないため、不便であることが多い。
【０００４】
このような課題に対して、ユーザの端末に対して、システムからリモートサポート（遠隔保守）を行うことで、ユーザの端末を遠隔から設定したり、遠隔からユーザを指導したりする方法が知られている。
【先行技術文献】
【特許文献】
【０００５】
【特許文献１】特開２０１１−０３４３１５号公報
【発明の概要】
【発明が解決しようとする課題】
【０００６】
一方、リモートサポートを行う端末から、サポートを受けるユーザ端末にリモートログイン等をして、リアルタイムで画面共有をすることで、リモート操作を行うことが知られている。すなわち、オペレータ端末に、ユーザ端末に表示されている画面を、逐次、転送して表示するとともに、オペレータ端末を操作すると、あたかも、ユーザ端末を操作しているかのように、入力操作（リモート操作）を行うことが可能となる。さらに、特許文献１では、携帯電話機を利用して、リモートサポートを行う方法が開示されている。
【０００７】
しかしながら、特許文献１に開示されている方法では、ルータ自体が直接インターネットに接続できない場合、オペレータはリモートログインができないため、設定操作や指導を行うことができないという問題がある。
【０００８】
そこで、本発明の発明者は、インターネットに接続可能な他の通信端末を用いて、インターネット経由でデータを取得し、更に近距離無線通信を用いて、ルータといった電子機器にデータを送信することで、専門知識を持たない利用者でも、簡便にインターネットに接続不能である電子機器にデータの転送を行える点に着目した。
【０００９】
以上の課題を鑑み、本発明は、公衆回線網と接続不能な電子機器と通信端末とを、近距離無線通信を介して通信可能に接続することで、電子機器が通信端末を介して公衆回線網を通じてデータを取得し、電子機器に表示、又は電子機器の設定もしくは操作を行うことを可能にする通信端末、電子機器、電子機器設定システム、電子機器設定方法、及び電子機器設定システム用プログラムを提供することを目的とする。
【課題を解決するための手段】
【００１０】
本発明では、以下のような解決手段を提供する。
【００１１】
第１の特徴に係る発明は、公衆回線網と接続不能である電子機器と、近距離無線通信により通信可能に接続された通信端末であって、
前記電子機器から、前記近距離無線通信を介して、データの送信要求を受信するデータ送信要求受信手段と、
前記送信要求されたデータを、予め設定されたサーバから公衆回線網を介して取得するデータ取得手段と、
前記取得したデータを、前記電子機器に対して送信するデータ送信手段と、
を備える通信端末を提供する。
【００１２】
第１の特徴に係る発明によれば、公衆回線網と接続不能である電子機器と、近距離無線通信により通信可能に接続された通信端末は、前記電子機器から、前記近距離無線通信を介して、データの送信要求を受信し、前記送信要求されたデータを、予め設定されたサーバから公衆回線網を介して取得し、前記取得したデータを、前記電子機器に対して送信する。
【００１３】
第２の特徴に係る発明は、第１の特徴に係る発明である通信端末と、近距離無線通信により通信可能に接続された、公衆回線網と接続不能である電子機器であって、
前記通信端末に対して、前記近距離無線通信を介して、データの送信要求を送信するデータ送信要求送信手段と、
前記送信要求したデータを、前記通信端末から受信するデータ受信手段と、
前記受信したデータを表示部に表示し、又は当該データに基づいて設定をし、もしくは操作を行うデータ処理手段と、
を備える電子機器を提供する。
【００１４】
第２の特徴に係る発明によれば、第１の特徴に係る発明である通信端末と、近距離無線通信により通信可能に接続された、公衆回線網と接続不能である電子機器は、前記通信端末に対して、前記近距離無線通信を介して、データの送信要求を送信し、前記送信要求したデータを、前記通信端末から受信し、前記受信したデータを表示部に表示し、又は当該データに基づいて設定をし、もしくは操作を行う。
【００１５】
第３の特徴に係る発明は、通信端末と、公衆回線網と接続不能である電子機器とが、近距離無線通信により通信可能に接続された電子機器設定システムであって、
前記通信端末は、
前記電子機器から、前記近距離無線通信を介して、データの送信要求を受信するデータ送信要求受信手段と、
前記送信要求されたデータを、予め設定されたサーバから通信を介して取得するデータ取得手段と、
前記取得したデータを、前記電子機器に対して送信するデータ送信手段と、
を備え、
前記電子機器は、
前記通信端末に対して、前記近距離無線通信を介して、データの送信要求を送信するデータ送信要求送信手段と、
前記送信要求したデータを、前記通信端末から受信するデータ受信手段と、
前記受信したデータを表示部に表示し、又は当該データに基づいて設定をし、もしくは操作を行うデータ処理手段と、
を備える電子機器設定システムを提供する。
【００１６】
第３の特徴に係る発明によれば、通信端末と、公衆回線網と接続不能である電子機器とが、近距離無線通信により通信可能に接続された電子機器設定システムにおいて、前記通信端末は、前記電子機器から、前記近距離無線通信を介して、データの送信要求を受信し、前記送信要求されたデータを、予め設定されたサーバから通信を介して取得し、前記取得したデータを、前記電子機器に対して送信する。また、前記電子機器は、前記通信端末に対して、前記近距離無線通信を介して、データの送信要求を送信し、前記送信要求したデータを、前記通信端末から受信し、前記受信したデータを表示部に表示し、又は当該データに基づいて設定をし、もしくは操作を行う。
【００１７】
第３の特徴に係る発明は、電子機器設定システムのカテゴリであるが、電子機器設定方法、及び、電子機器設定プログラムのカテゴリにおいても、そのカテゴリに応じた同一の作用・効果を奏する。
【００１８】
第４の特徴に係る発明は、第３の特徴に係る発明である電子機器設定システムであって、
前記電子機器が送信要求を送信するデータとは、当該電子機器が機能を発揮するために必要な設定パラメータであって、
前記電子機器は、データ処理手段に替えて、前記設定パラメータを当該電子機器に設定するデータ設定手段を備える、電子機器設定システムを提供する。
【００１９】
第４の特徴に係る発明によれば、第３の特徴に係る発明である電子機器設定システムにおいて、前記電子機器が送信要求を送信するデータとは、当該電子機器が機能を発揮するために必要な設定パラメータであって、前記電子機器は、データ処理手段に替えて、前記設定パラメータを当該電子機器に設定する。
【００２０】
第５の特徴に係る発明は、第３、又は第４のいずれかの特徴に係る発明である電子機器設定システムであって、
前記データとは、当該電子機器が公衆回線網との通信機能を発揮するために必要な設定パラメータである、電子機器設定システムを提供する。
【００２１】
第５の特徴に係る発明によれば、第３、又は第４のいずれかの特徴に係る発明である電子機器設定システムにおいて、前記データとは、当該電子機器が公衆回線網との通信機能を発揮するために必要な設定パラメータである。
【００２２】
第６の特徴に係る発明は、通信端末と、公衆回線網と接続不能である電子機器とが、近距離無線通信により通信可能に接続された電子機器設定システムが実行する電子機器設定方法であって、
前記通信端末が、
前記電子機器から、前記近距離無線通信を介して、データの送信要求を受信するステップと、
前記送信要求されたデータを、予め設定されたサーバから通信を介して取得するステップと、
前記取得したデータを、前記電子機器に対して送信するステップと、
を備え、
前記電子機器が、
前記通信端末に対して、前記近距離無線通信を介して、データの送信要求を送信するステップと、
前記送信要求したデータを、前記通信端末から受信するステップと、
前記受信したデータを表示部に表示し、又は当該データに基づいて設定をし、もしくは操作を行うステップと、
を備える電子機器設定方法を提供する。
【００２３】
第７の特徴に係る発明は、通信端末と、公衆回線網と接続不能である電子機器とが、近距離無線通信により通信可能に接続された電子機器設定システムにおいて、
前記電子機器から、前記近距離無線通信を介して、データの送信要求を受信するステップ、
前記送信要求されたデータを、予め設定されたサーバから通信を介して取得するステップ、
前記取得したデータを、前記電子機器に対して送信するステップ、
として、コンピュータである前記通信端末を制御する通信端末用プログラムと、
前記通信端末に対して、前記近距離無線通信を介して、データの送信要求を送信するステップ、
前記送信要求したデータを、前記通信端末から受信するステップ、
前記受信したデータを表示部に表示し、又は当該データに基づいて設定をし、もしくは操作を行うステップ、
として、コンピュータである前記電子機器を制御する電子機器用プログラムと、
によって構成される電子機器設定システム用プログラムを提供する。
【発明の効果】
【００２４】
本発明によれば、公衆回線網と接続不能な電子機器と通信端末とを、近距離無線通信を介して通信可能に接続することで、電子機器が通信端末を介して公衆回線網を通じてデータを取得し、電子機器に表示、又は電子機器の設定もしくは操作を行うことを可能にする通信端末、電子機器、電子機器設定システム、電子機器設定方法、及び電子機器設定システム用プログラムを提供することが可能となる。
【図面の簡単な説明】
【００２５】
【図１】図１は、電子機器設定システム１の概要を説明するための図である。
【図２】図２は、電子機器設定システム１の全体構成図である。
【図３】図３は、通信端末１０、電子機器５０、データサーバ２００の機能ブロック図である。
【図４】図４は、通信端末１０、電子機器５０、データサーバ２００が実行する電子機器設定処理の手順を示すフローチャート図である。
【図５】図５は、通信端末１０に表示される画面の一例である。
【図６】図６は、情報表示システム２の概要を説明するための図である。
【図７】図７は、データサーバ２００が備える、設定情報データベース２５０内のユーザテーブルの一例である。
【図８】図８は、データサーバ２００が備える、設定情報データベース２５０内の設定情報テーブルの一例である。
【発明を実施するための形態】
【００２６】
以下、本発明を実施するための最良の形態について図を参照しながら説明する。なお、これはあくまでも一例であって、本発明の技術的範囲はこれに限られるものではない。
【００２７】
［電子機器設定システム１の概要］
図１は、本発明の好適な実施形態である電子機器設定システム１の概要を説明するための図である。この図１に基づいて、電子機器設定システム１の概要を説明する。
【００２８】
電子機器５０は、公衆回線網３とは接続不能である。また、電子機器５０と通信端末１０は、近距離無線通信により通信可能に接続されている。ここで、近距離無線通信とは、数ｃｍから数ｍのごく短い距離を想定した通信方法であって、具体的な規格としてＮＦＣ（Ｎｅａｒ  Ｆｉｅｌｄ  Ｃｏｍｍｕｎｉｃａｔｉｏｎ）、Ｂｌｕｅｔｏｏｔｈ、ＺｉｇＢｅｅ、Ｗｉｒｅｌｅｓｓ  ＵＳＢ等があるが、これに限られない。
【００２９】
初めに、電子機器５０は通信端末１０に対して、データの送信要求を送信する（ステップＳ０１）。ここでデータとは、電子機器５０に表示する、又はデータに基づいて電子機器５０を設定もしくは操作するためのデータである。本実施例では、電子機器５０をインターネットに接続するためのプロバイダ情報を要求する場合について説明する。
【００３０】
データの送信要求を受信した通信端末１０は、データサーバ２００に対して、電子機器５０に送信すべきデータを要求する（ステップＳ０２）。ここでデータサーバ２００は、電子機器設定システム１において要求されるデータを一元管理するサーバであって、通信端末１０をログイン処理等によって識別してよい。
【００３１】
データサーバ２００は、要求されたデータを設定情報データベース２５０から読み出すと、通信端末１０に対して送信する（ステップＳ０３）。ここで、データサーバ２００のデータの保存形式はデータベースに限られず、例えばデータサーバ２００がメールサーバであって、通信端末１０と関連付けられたメールアドレス宛のメールから、プロバイダへのログイン情報が記載されたものを抽出して、通信端末１０に送信する等してもよい。
【００３２】
データをデータサーバ２００から受信した通信端末１０は、そのデータを電子機器５０に近距離無線通信で送信する（ステップＳ０４）。データを通信端末１０から受信した電子機器５０は、当該データを表示、又はデータに基づいて設定、もしくは処理を行う。本実施例においては、当該データをログイン情報として、インターネットプロバイダへの接続設定を行う（ステップＳ０５）。
【００３３】
以上の処理により、公衆回線網３に接続不能である電子機器５０が、近距離無線通信と通信端末１０を介して、データサーバ２００に記憶されたデータを利用することが可能になる。以上が電子機器設定システム１の概要である。
【００３４】
［電子機器設定システム１のシステム構成］
図２は、本発明の好適な実施形態である電子機器設定システム１のシステム構成図である。電子機器設定システム１は、通信端末１０、電子機器５０、データサーバ２００、設定情報データベース２５０、公衆回線網３（インターネット網や第３世代、第４世代通信網など）近距離無線通信５から構成される。
【００３５】
通信端末１０は、公衆回線網３を介してデータサーバ２００と通信可能に接続されている。電子機器５０は、公衆回線網３と接続不能な状態にあり、通信端末１０と電子機器５０とは、近距離無線通信５により通信可能に接続されている。また、設定情報データベース２５０は、データサーバ２００の記憶部に記憶されている。通信端末１０が公衆回線網３と接続するために、ルータ等のネットワーク機器を介して通信可能であってよい。
【００３６】
通信端末１０は、近距離無線通信５と、公衆回線網３と接続するための通信機能を備えた一般的な情報端末であってよく、後述する機能を備える情報機器や電化製品である。通信端末１０は、例えば、携帯電話、スマートフォン、複合型プリンタ、テレビ、ルータ又はゲートウェイ等のネットワーク機器、コンピュータに加えて、冷蔵庫、洗濯機等の白物家電、電話機、ネットブック端末、スレート端末、電子書籍端末、電子辞書端末、携帯型音楽プレーヤ、携帯型コンテンツ再生・録画プレーヤ等の一般的な情報家電であってよい。
【００３７】
電子機器５０は、近距離無線通信５を備え、公衆回線網３とは接続不能である一般的な電子機器である。ここで、近距離無線通信とは、数ｃｍから数ｍのごく短い距離を想定した無線による通信方法を指し、具体的な規格としてはＮＦＣ、Ｂｌｕｅｔｏｏｔｈ、ＺｉｇＢｅｅ、Ｗｉｒｅｌｅｓｓ  ＵＳＢ等が想定されるが、これに限られない。
【００３８】
データサーバ２００は、設定情報データベース２５０を備え、通信端末１０からの要求に応じてデータを送信するサーバである。
【００３９】
［各機能の説明］
図３は、通信端末１０、電子機器５０、データサーバ２００の機能ブロックと各機能の関係を示す図である。
【００４０】
通信端末１０は、制御部１１として、ＣＰＵ（Ｃｅｎｔｒａｌ  Ｐｒｏｃｅｓｓｉｎｇ  Ｕｎｉｔ），ＲＡＭ（Ｒａｎｄｏｍ  Ａｃｃｅｓｓ  Ｍｅｍｏｒｙ），ＲＯＭ（Ｒｅａｄ  Ｏｎｌｙ  Ｍｅｍｏｒｙ）等を備え、通信部１２として、近距離無線通信に対応したデバイスに加え、公衆回線網に接続するためのデバイスとして、例えば、ＩＥＥＥ８０２．１１に準拠したＷｉＦｉ（Ｗｉｒｅｌｅｓｓ  Ｆｉｄｅｌｉｔｙ）対応デバイス又は、第３世代移動通信システム等のＩＭＴ−２０００規格に準拠した無線デバイス等を備える（有線によるＬＡＮ接続であってもよい）。
【００４１】
通信端末１０において、制御部１１が所定のプログラムを読み込むことで、通信部１２と協働して、データ送信要求受信モジュール１３、データ取得モジュール１４、データ送信モジュール１５を実現する。
【００４２】
電子機器５０は、同様に、制御部５１として、ＣＰＵ，ＲＡＭ，ＲＯＭ等を備え、通信部５２として、近距離無線通信に対応したデバイスに加え、公衆回線網に接続するためのデバイスとして、例えば、ＩＥＥＥ８０２．１１に準拠したＷｉＦｉ対応デバイスを備える（有線であってもよい）。
【００４３】
加えて、電子機器５０は、入出力部５３として、制御部で制御したデータや画像を出力表示する表示部を備え、かつ、ユーザやサポート者からの入力を受付けるタッチパネルやキーボード、マウス等を備える更に、電子機器５０は、記憶部５４として、ハードディスクや半導体メモリによる、データのストレージ部を備える。
【００４４】
電子機器５０において、制御部５１が所定のプログラムを読み込むことで、通信部５２と協働して、データ送信要求送信モジュール５５、データ受信モジュール５６を実現する。また、電子機器５０において、制御部５１が所定のプログラムを読み込むことで、入出力部５３、及び記憶部５４と協働して、データ処理モジュール５７を実現する。また、電子機器５０において、制御部５１が所定のプログラムを読み込むことで、記憶部５４と協働して、データ設定モジュール５８を実現する。
【００４５】
データサーバ２００は、同様に、制御部２０１として、ＣＰＵ，ＲＡＭ，ＲＯＭ等を備え、通信部２０２として、例えば、ＩＥＥＥ８０２．１１に準拠したＷｉＦｉ対応デバイスを備える（有線であってもよい）。加えて、データサーバ２００は、記憶部２０３として、ハードディスクや半導体メモリによる、データのストレージ部を備える。データサーバ２００は、設定情報データベース２５０を、記憶部２０３に備える。
【００４６】
データサーバ２００において、制御部２０１が所定のプログラムを読み込むことで、通信部２０２、及び記憶部２０３と協働して、データ提供モジュール２０４を実現する。
【００４７】
［ユーザ関連情報の表示処理］
図４は、通信端末１０、電子機器５０、データサーバ２００が実行する電子機器設定処理のフローチャートである。上述した各装置のモジュールが行う処理について、本処理にて併せて説明する。
【００４８】
はじめに、電子機器５０のデータ送信要求送信モジュール５５は、近距離無線通信を介して、通信端末１０に対してデータ送信要求を送信する（ステップＳ１１）。通信端末１０のデータ送信要求受信モジュール１３はデータ送信要求を受信する（ステップＳ１２）。
【００４９】
次に、通信端末１０のデータ取得モジュール１４は、データサーバ２００にデータを要求する（ステップＳ１３）。その際には、要求するデータを特定するためのパラメータを渡したり、通信端末１０のＵＤＩＤやログイン情報を送信する等して、通信端末１０の認証情報を送信したりしてよい。
【００５０】
データサーバ２００のデータ提供モジュール２０４は、要求を受信すると（ステップＳ１４）、要求のパラメータに基づき設定情報データベース２５０から送信すべきデータを抽出し、通信端末１０にデータを送信する（ステップＳ１５）。
【００５１】
ここで、図７は設定情報データベース２５０内のユーザテーブルの一例である。また、図８は設定情報データベース２５０内の設定情報テーブルの一例である。本実施例では、データ提供モジュール２０４は要求に付随する認証情報を解釈し、初めにユーザテーブルに照らして認証を行う。ここでは端末ＩＤ、またはユーザＩＤとパスワードの組み合わせにより、ユーザＩＤの特定を行う。なお端末ＩＤは、通信端末１０のＩＤであってもよいし、電子機器５０のＩＤであってもよい。
【００５２】
次にデータ提供モジュール２０４は、要求に付随するパラメータであるデータＩＤを取得し、前記特定したユーザＩＤとともに、設定情報テーブルからデータを抽出する。例えば、要求のパラメータが端末ＩＤ「９１ａｃｆ４２８７１０ｃ２ｄ」と、データＩＤ「１」であった場合に、初めにユーザＩＤ「ｓｕｚｕｋｉ」が特定され、次にデータＩＤとの組み合わせによって、設定情報テーブルの最上段が抽出される。
【００５３】
通信端末１０のデータ取得モジュール１４は、データサーバ２００からデータを受信し取得すると（ステップＳ１６）、データ送信モジュール１５が取得したデータを近距離無線通信により電子機器５０に送信する（ステップＳ１７）。
【００５４】
図５は、データの送信時に通信端末１０に表示される画面の一例である。設定情報として、インターネットプロバイダの認証情報であるプロバイダＩＤ４１と、パスワード４２とが表示され、設定ボタン４３を押し下げることで、電子機器５０に対してこれらのデータが送信され、設定される。なお、通信端末１０が入出力部を備えない場合は、このような画面は表示されず、自動でデータの送信処理が行われてよい。
【００５５】
電子機器５０のデータ受信モジュール５６は通信端末１０からデータを受信し（ステップＳ１８）、データ処理モジュール５７、又はデータ設定モジュール５８が受信したデータを表示、又はデータに基づいて設定、操作を実行する（ステップＳ１９）。
【００５６】
データの設定や操作は、予め電子機器５０が備えるプログラムにより、記憶部に記憶された設定の一部が書き換えられることによって実現される。例えば、インターベットプロバイダの認証を自動で行い、再起動を行うことで、ルータである電子機器５０は自動的に公衆回線網３に接続可能となる。
【００５７】
また、他の実施例として、情報表示システム２が図６に示されている。図６は商品を販売する店舗において、商品６１に取り付けられた通信部５２たるＲＦＩＤタグ６２と、入出力部５３たるディスプレイ６３が通信可能に接続され、電子機器５０を構成する。ここで通信端末１０が、矢印６４のようにタグ６２を読み取り、それをパラメータとしてデータサーバ２００に問い合わせると、商品６１の関連情報をインターネットから取得し、ディスプレイ６３に表示する。
【００５８】
表示されるデータは、商品情報６５のようなものに加え、口コミ評価６６といった、インターネットを介さなければ入手できない動的な情報が含まれて良い。特に、自店舗や他店舗の在庫６７といった、リアルタイム性が重視される情報も提供が可能となる。
【００５９】
以上が、通信端末１０、電子機器５０、データサーバ２００が実行する電子機器設定処理の手順である。
【００６０】
上述した手段、機能は、コンピュータ（ＣＰＵ，情報処理装置，各種端末を含む）が、所定のプログラムを読み込んで、実行することによって実現される。プログラムは、例えば、フレキシブルディスク、ＣＤ（ＣＤ−ＲＯＭなど）、ＤＶＤ（ＤＶＤ−ＲＯＭ、ＤＶＤ−ＲＡＭなど）等のコンピュータ読取可能な記録媒体に記録された形態で提供される。この場合、コンピュータはその記録媒体からプログラムを読み取って内部記憶装置または外部記憶装置に転送し記憶して実行する。また、そのプログラムを、例えば、磁気ディスク、光ディスク、光磁気ディスク等の記憶装置（記録媒体）に予め記録しておき、その記憶装置から通信回線を介してコンピュータに提供するようにしてもよい。
【００６１】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００６２】
１  電子機器設定システム、２  情報表示システム、３  公衆回線網、５  近距離無線通信、１０  通信端末、５０  電子機器、２００  データサーバ、２５０  設定情報データベース
【図１】
2014207535.tif 000003
【図２】
2014207535.tif 000004
【図３】
2014207535.tif 000005
【図４】
2014207535.tif 000006
【図５】
2014207535.tif 000007
【図６】
2014207535.tif 000008
【図７】
2014207535.tif 000009
【図８】
2014207535.tif 000010